(57)【要約】【解決手段】プレイジム、ブランコ、バウンサー、おむつ替えパッド等の育児用具に玩具又は他の物品を取り付けることができる装置及び方法。取り付けは、取り付けるべき物品の圧縮可能部分を、育児用具に形成した開口部に通すことにより達成される。開口部は、育児用具に形成した穴により、育児用具に埋め込んだ又は取り付けたロッドに嵌めたクリップに形成した穴によりもたらされてよい。クリップは、ロッドをスライド移動させることにより物品の位置を調節できる。一例として、プレイジムに埋め込んだ複数個のロッドにより、プレイジムの天蓋部用の支持構造体を構成し、ロッドに、玩具又はその他の物品をプレイジムへの取付け用クリップを取り付けるようにしてもよい。【選択図】図１Ａ
2013510619.tif 000002
【特許請求の範囲】
【請求項１】
フレームとこれに接続された表面シートとを備えるアーチ型の支持体を有する育児用具と、
育児用具に設けた開口部と、
育児用具に取り付けるべき物品とから構成され、物品は、開口部よりも大である主体部を備え、物品は、主体部に結合された圧縮可能部材をも備え、圧縮可能部材は、圧縮可能部材が、非圧縮状態にある場合、開口部よりも大であり、圧縮可能部材は、開口部よりも小である大きさに圧縮可能なように構成されることにより、圧縮可能部材は、開口部を通過して圧縮可能部材と主体部とを開口部の両側に位置付けることができる、育児用具システム。
【請求項２】
前記主体部と前記圧縮可能部材とは、綱状部材により結合され、前記圧縮可能部材と前記主体部とが、前記開口部の両側に位置付けられると、綱状部材は、前記開口部を通過する、請求項１に記載の育児用具システム。
【請求項３】
前記開口部は、前記育児用具に縫い込まれるループ状の布地、前記育児用具に取り付けられるループ状の伸縮自在な材料、及び育児用具の一部を貫通する穴からなる群から選択される手段により構成される、請求項１に記載の育児用具システム。
【請求項４】
前記アーチ型の支持体のフレームは、表面シートに埋め込まれた半硬性ロッドと、半硬性ロッドにスライド自在に嵌まる実質的に硬性のクリップとで構成され、クリップは、貫通穴を備える、請求項１に記載の育児用具システム。
【請求項５】
前記育児用具は、プレイジム、ベビーベッド、ベビーサークル、ブランコ、ベビーバウンサー、折りたたみ式ベビーカー、オムツ替えパッド及びオムツ替えパッドカバーからなる群から選択される、請求項１に記載の育児用具システム。
【請求項６】
前記圧縮可能部材は、ボール形状、直方体形状、角錐形状、ボタン形状、葉に似た形状、花に似た形状、動物形状及び翼に似た形状からなる群から選択される形状をしている、請求項１に記載の育児用具システム。
【請求項７】
前記取り付けるべき物品は、玩具、人形、ボール、鏡、直方体物、角錐物、おしゃぶり、動物又は昆虫の形状をした玩具、植物又は花の形状をした玩具、音を出す物品、振動を起こす物品、及び光を発する物品からなる群から選択される物品である、請求項１に記載の育児用具システム。
【請求項８】
前記開口部は、第１開口部であり、前記取り付けるべき物品は、取り付けるべき第１物品であり、前記圧縮可能部材は、第１圧縮可能部材であり、さらに、取り付けるべき第１物品は、これに第２物品を取り付ける構造をした第２開口部を有し、第２物品を構成する第２圧縮可能部材を第２開口部に通すことにより、複数個の玩具を一連なりにする、請求項１に記載の育児用具システム。
【請求項９】
前記取り付けるべき物品は、第１物品であり、本育児用具システムは、第２物品を有し、第１及び第２物品は、共に、育児用具に同じ開口部を介して取り付けられる、請求項１に記載の育児用具システム。
【請求項１０】
前記アーチ型の支持体に接続されるパッドを有し、パッドは、軌道部材と、これにスライド自在に嵌まる開口部を持つクリップとを備える、請求項１に記載の育児用具システム。
【請求項１１】
育児用具であって、これに接続される半硬性ロッドと、半硬性ロッドにスライド自在に嵌まる溝形通路を備える実質的に硬性のクリップとで構成される育児用具。
【請求項１２】
前記半硬性ロッドは、前記育児用具に縫い込まれた布製カバーに包まれてアーチ型の支持体を構成し、前記硬性のクリップの溝形通路は、布製カバー上をスライド移動する、請求項１１に記載の育児用具。
【請求項１３】
前記半硬性ロッドは、前記育児用具の外表面に接続されることにより、前記半硬性ロッドの主体部が、露出され、前記硬性のクリップは、頂部と底部とを備え、前記溝形通路は、前記硬性のクリップの底部中を延びる、請求項１１に記載の育児用具。
【請求項１４】
前記育児用具は、プレイジム、ベビーベッド、ベビーサークル、ブランコ、ベビーバウンサー、チャイルドシート付きショッピングカート、折りたたみ式ベビーカー、カーシート、チャイルドシート、プレイパッド、ハイチェア、オムツ替えパッド、及びオムツ替えパッドカバーからなる群から選択される、請求項１１に記載の育児用具。
【請求項１５】
前記クリップは、概ね環状であり、前記溝形通路は、前記クリップの一側に延び、前記溝形通路は、前記半硬性のロッドをスライド自在に収容する構成をしている、請求項１１に記載の育児用具。
【請求項１６】
前記育児用具に取り付ける物品と組み合わされる、請求項１１に記載の育児用具であって、前記育児用具に取り付ける物品は、前記クリップに形成した開口部よりも大である主体部を有し、前記育児用具に取り付ける物品は、圧縮可能部材を有し、圧縮可能部材は、圧縮可能部材が、非圧縮状態にある場合、開口部よりも大であり、圧縮可能部材は、開口部よりも小である大きさに圧縮可能なように構成されることにより、圧縮可能部材は、開口部を通過して圧縮可能部材と主体部とを開口部の両側に位置付けることができる、育児用具。
【請求項１７】
基部パッドであって、互いに離れて基部パッドの端部に固定された少なくとも３個の圧縮可能部材と、
少なくとも３個の脚部を備え、基部パッドをアーチ型に跨ぐ形状をした天蓋部であって、表面シートとこれに埋め込まれた少なくとも第１及び第２の半硬性ロッドとを有する天蓋部とから構成され、半硬性ロッドは、各々第１端及び第２端を有し、第１及び第２のロッドの第１端は、少なくとも３個の脚部の内の第１のロッドに沿って延び、第１のロッドの第２端は、少なくとも３個の脚部の内の第２のロッドに沿って延び、第２のロッドの第２端は、少なくとも３個の脚部の内の第３のロッドに沿って延び、天蓋部は、さらに、各脚部の端に天蓋部取付けループ部を有し、天蓋部取付けループ部の各々は、少なくとも３個の圧縮可能部材の一つに嵌まって天蓋部を基本パッドに取り付けるように構成される、子供用プレイジム。
【請求項１８】
天蓋部取付けループ部は、各々、伸縮自在である、請求項１７に記載の子供用プレイジム。
【請求項１９】
天蓋部取付けループ部が、非伸長状態であり、前記圧縮可能部材が、非圧縮状態である場合、天蓋部取付けループ部の各々は、その対応する圧縮可能部材よりも小である、請求項１８に記載の子供用プレイジム。
【請求項２０】
前記プレイジムに取り付ける物品の一部を収容するように構成された開口部を備え、開口部は、前記表面シートに形成した穴、前記基部パッドの表面シートに縫い込まれる、物品取付け用ループ状布地、及び実質的に硬性なクリップを貫通する穴からなる群から選択される手段により構成される、クリップは、前記半硬性なロッドの一つにスライド自在に嵌まる、請求項１７に記載の子供用プレイジム。
【請求項２１】
前記プレイジムに取り付ける物品を備え、取り付けるべき物品は、玩具、人形、ボール、鏡、直方体物、角錐物、おしゃぶり、動物又は昆虫の形状をした玩具、植物又は花の形状をした玩具、音を出す物品、光を発する物品、及び振動を起こす物品からなる群から選択される物品である、請求項２０に記載の子供用プレイジム。
【請求項２２】
物品の主体部に結合された圧縮可能部材を圧縮し、
育児用具に接続した半硬性のロッドにスライド自在に嵌まるクリップに形成した開口部に、圧縮可能部材を通すことにより、圧縮可能部材と主体部とを開口部の両側に位置付け、
圧縮可能部材を開口部よりも大である大きさに拡大させ、
半硬性のロッドに沿ってクリップをスライドさせて、育児用具を用いて子供に近接して物品を位置付けるようにする、物品を取り付ける方法において、育児用具は、プレイジム、ベビーベッド、ベビーサークル、ブランコ、ベビーバウンサー、チャイルドシート付きショッピングカート、折りたたみ式ベビーカー、カーシート、チャイルドシート、ハイチェア、プレイパッド、オムツ替えパッド、及びオムツ替えパッドカバーからなる群から選択され、物品は、玩具、人形、直方体物、角錐物、ボール、鏡、おしゃぶり、動物又は昆虫の形状をした玩具、植物又は花の形状をした玩具、音を出す物品、光を発する物品、及び振動を起こす物品からなる群から選択される物品である方法。
【請求項２３】
主体部と、
圧縮可能部材と、
主体部を圧縮部材に結合する綱状部材とから構成され、
圧縮可能部材は、圧縮されて育児用具に形成した開口部を貫通し、拡大復帰できるように構成されることにより、主体部と圧縮可能部材とが、綱状部材が開口部を貫通したまま開口部の両側に位置付けられる、育児用具に取り付ける物品。
【請求項２４】
前記物品は、玩具、人形、ボール、直方体物、角錐物、鏡、おしゃぶり、動物又は昆虫の形状をした玩具、植物又は花の形状をした玩具、音を出す物品、光を発する物品、及び振動を起こす物品からなる群から選択される物品であり、前記圧縮可能部材は、ボール形状、直方体形状、角錐形状、ボタン形状、葉に似た形状、花に似た形状、動物形状及び翼に似た形状からなる群から選択される形状をしている、請求項２３に記載の物品。
【発明の詳細な説明】
【背景技術】
【０００１】
乳児及び幼児の育児を容易にするために、種々の用具及び付属用品が、開発されている。安全性が、大事ではあるが、育児用具は、子供の精神的及び身体的発育に貢献し、子供に刺激と喜びとを与え、使用し易いことも望まれる。
【発明の概要】
【０００２】
一形態として、育児用具システムは、フレームを備えるアーチ型の支持体とフレームに接続された表面シートとを有する育児用具と、育児用具に設けた開口部と、育児用具に取り付けるべき物品とから構成される。取り付けるべき物品は、開口部よりも大である主体部と、主体部に結合された圧縮可能部材とを備える。圧縮可能部材は、非圧縮状態にある場合、開口部よりも大であり、圧縮可能部材は、開口部よりも小である大きさに圧縮可能なように構成されることにより、圧縮可能部材は、開口部を通過して圧縮可能部材と主体部とを開口部の両側に位置付けることができる。主体部と圧縮可能部材とは、綱状部材により結合し、圧縮可能部材と主体部とが、開口部の両側に位置付けられると、綱状部材が、開口部を通過する状態になるようにしてもよい。開口部は、育児用具に縫い込まれるループ状の布地により構成されてもよい。開口部は、育児用具に取り付けられるループ状の伸縮自在な材料により構成されてもよい。開口部は、育児用具の一部を貫通する穴からにより構成されてもよい。
【０００３】
他の形態として、アーチ型の支持体のフレームは、表面シートに埋め込まれた半硬性ロッドと、半硬性ロッドにスライド自在に嵌まる実質的に硬性のクリップとで構成され、クリップは、貫通穴を備える。育児用具は、プレイジム、ベビーベッド、ベビーサークル、ブランコ、ベビーバウンサー、折りたたみ式ベビーカー、オムツ替えパッド及びオムツ替えパッドカバーであってよい。圧縮可能部材は、ボール形状、直方体形状、角錐形状、その他幾何学的形状、ボタン形状、葉又は花に似た形状、動物形状及び翼に似た形状からなる群から選択される形状をしてよい。取り付けるべき物品は、玩具、人形、ボール、直方体物、角錐物、その他幾何学的形状、鏡、おしゃぶり、動物又は昆虫の形状をした玩具、植物又は花の形状をした玩具、音、振動若しくは光を出す物品、又はこれらを組み合わせた物品からなる群から選択される形状をしてよい。
【０００４】
その他の形態として、開口部は、第１開口部とし、取り付けるべき物品は、取り付けるべき第１物品とし、圧縮可能部材は、第１圧縮可能部材とし、さらに、取り付けるべき第１物品は、これに第２物品を取り付ける構造をした第２開口部を有することにより、第２物品を構成する第２圧縮可能部材を第２開口部に通す。その他の形態として、取り付けるべき物品は、第１物品とし、育児用具システムが、第２物品を有し、第１及び第２物品は、共に、育児用具に同じ開口部を介して取り付けられる。例えば、玩具同士が、繋がれて、一連なりになってよい。他の形態として、育児用具システムは、アーチ型の支持体に接続されるパッドを有する。
【０００５】
他の形態として、育児用具は、これに埋め込まれた、又はこれに取り付けられた半硬性のロッド又は軌道部材と、ロッド又は軌道部材にスライド自在に嵌まる、実質的に硬性のクリップとを備える。クリップは、育児用具に物品を取り付ける開口を備える。半硬性のロッドは、育児用具に縫い込まれた布製カバー又は筒状部材に包み込まれることにより、実質的に硬性なクリップが、布製カバー上をスライド移動するようにてもよい。他の形態として、軌道部材は、育児用具の一部に、例えば、マットをカバーする布地、ブランケット、シートカバー等に接続してもよい。軌道部材全体を、育児用具の縫い目に縫い付けられた布製筒状部材に接続して、クリップが筒状部材状をスライド移動できるようにしもよい。こうする代わりに、軌道部材の少なくとも一部を露出させて、クリップが、露出された軌道部材上をスライド移動するようにしてもよい。育児用具は、育児用具は、プレイジム、ベビーベッド、ベビーサークル、ブランコ、ベビーバウンサー、折りたたみ式ベビーカー、カーシート、チャイルドシート、プレーバッド、ハイチェア、オムツ替えパッド又はオムツ替えパッドカバーであってよい。クリップは、概ね環状であり、その一側を通る溝形通路を備え、溝形通路は、半硬性のロッドとスライド自在に収容する構成をしてよい。
【０００６】
他の形態として、育児用具は、これに取り付けるべき物品と組み合わされていてもよい。こうした形態では、物品は、クリップに形成した開口部よりも大である主体部を備え、物品は、主体部に結合された圧縮可能部材を備える。圧縮可能部材は、非圧縮状態である場合、開口部よりも大であり、圧縮可能部材は、開口部よりも小である大きさに圧縮可能なように構成されることにより、圧縮可能部材は、開口部を通過して圧縮可能部材と主体部とを開口部の両側に位置付けることができる。
【０００７】
他の形態として、子供用プレイジムは、基部パッドと天蓋部とを有する。基部パッドは、互いに離れて基部パッドの端部に固定された少なくとも３個の圧縮可能部材を備える。天蓋部は、少なくとも３個の脚部を備え、基部パッドをアーチ型に跨ぐ形状をしている。天蓋部は、また、表面シートとこれに埋め込まれた少なくとも第１及び第２の半硬性ロッドと備える。半硬性ロッドは、各々第１端及び第２端を有する。第１及び第２のロッドの第１端は、少なくとも３個の脚部の内の第１のロッドに沿って延び、第１のロッドの第２端は、少なくとも３個の脚部の内の第２のロッドに沿って延び、第２のロッドの第２端は、少なくとも３個の脚部の内の第３のロッドに沿って延びる。天蓋部は、さらに、各脚部の端に天蓋部取付けループ部を有し、天蓋部取付けループ部の各々は、少なくとも３個の圧縮可能部材の一つに嵌まって天蓋部を基本パッドに取り付ける。天蓋部取付けループ部は、各々、伸縮自在でもよい。天蓋部取付けループ部が、非伸長状態であり、圧縮可能部材が、非圧縮状態である場合、天蓋部取付けループ部の各々は、その対応する圧縮可能部材よりも小であってもよい。子供用プレイジムは、プレイジムに取り付ける物品の一部を収容するように構成された開口部を備えてもよい。開口部は、表面シートに形成した穴により構成されてよい。開口部は、表面シート又は基部パッドのいずれかに縫い込まれる、物品取付け用のループ状布地により構成されてもよい。開口部は、実質的に硬性なクリップを貫通する穴により構成されて、クリップが、半硬性なロッドの一つにスライド自在に嵌まっていてもよい。他の形態として、子供用プレイジムは、これに取り付けられるべき物品と組み合わされる。取り付けるべき物品は、玩具、人形、ボール、直方体物、角錐物、その他幾何学的形状、鏡、おしゃぶり、動物又は昆虫の形状をした玩具、植物又は花の形状をした玩具、音、光若しくは振動を発生す物品、又はこれらを組み合わせた物品でよい。他の形態として、基部パッドは、１個以上の軌道部材を備え、さらに、１個以上のクリップが、軌道部材にスライド自在に取り付けられていてもよい。こうすうと、物品は、クリップに玩具を接続することにより、例えば、玩具の圧縮可能部材をクリップの開口部に通すことにより、基部パッドにスライド自在に接続されることになる。
【０００８】
他の形態として、育児用具に物品を取り付ける方法は、物品の主体部に結合された圧縮可能部材を圧縮し、育児用具に埋め込まれた又は取り付けられた半硬性のロッドにスライド自在に嵌まるクリップに形成した開口部に、圧縮可能部材を通すことにより、圧縮可能部材と主体部とを開口部の両側に位置付け、圧縮可能部材を開口部よりも大である大きさに拡大させ、半硬性のロッドに沿ってクリップをスライドさせることにより、育児用具を用いて物品を子供に近接して位置付ける。育児用具は、プレイジム、ベビーベッド、ベビーサークル、ブランコ、ベビーバウンサー、チャイルドシート付きショッピングカート、折りたたみ式ベビーカー、カーシート、チャイルドシート、プレイパッド、ハイチェア、オムツ替えパッド又はオムツ替えパッドカバーとしてよい。物品は、玩具、人形、ボール、直方体物、角錐物、その他幾何学的形状、鏡、おしゃぶり、動物又は昆虫の形状をした玩具、植物又は花の形状をした玩具、音、光若しくは振動を発生する物品、又はこれらを組み合わせた物品としてよい。
【０００９】
他の形態として、育児用具に取り付ける物品は、主体部と、圧縮可能部材と、主体部を圧縮部材に結合する綱状部材とから構成される。圧縮可能部材は、圧縮されて育児用具に形成した開口部を貫通し、拡大復帰できるように構成されることにより、主体部と圧縮可能部材とが、開口部の両側に位置付けられる。物品は、玩具、人形、ボール、直方体物、角錐物、その他幾何学的形状、鏡、おしゃぶり、動物又は昆虫の形状をした玩具、植物又は花の形状をした玩具、音、光若しくは振動を発生する物品、又はこれらを組み合わせた物品としてよい。圧縮可能部材は、ボール形状、直方体形状、角錐形状、その他幾何学的形状、ボタン形状、葉若しくは花に似た形状、動物形状又は翼に似た形状をしてよい。他の形態として、圧縮可能部材は、第１圧縮可能部材とし、物品は、さらに、主体部に結合された第２圧縮可能部材を備え、第２圧縮可能部材は、また、圧縮されて、育児用具に形成した同じ開口部又は別の開口部を通過し、拡大復帰することにより、主体部と第２圧縮可能部材とが、開口部の両側に位置付けられる。他の形態として、物品は、育児用具と組み合わさっている。育児用具は、プレイジム、ベビーベッド、ベビーサークル、ブランコ、ベビーバウンサー、チャイルドシート付きショッピングカート、折りたたみ式ベビーカー、カーシート、チャイルドシート、プレイパッド、ハイチェア、オムツ替えパッド、又はオムツ替えパッドカバーとしてよい。
【図面の簡単な説明】
【００１０】
【図１Ａ】図１Ａは、本発明の種々の実施形態に適合するベビージムを示すものである。
【図１Ｂ】図１Ｂは、本発明の種々の実施形態に係るパーツの一部を分離した、図１のベビージムを示すものである。
【図１Ｃ】図１Ｃは、図１Ａのベビージムの軌道部材の一端の拡大図である。
【図２】図２は、図１のベビージムに取り付け可能な物品例を示すものである。
【図３Ａ】図３Ａは、別の実施形態に係る物品の取付け状態を示すものである。
【図３Ｂ】図３Ｂは、本発明の種々の実施形態に適合するクリップの一つを示すものである。
【図３Ｃ】図３Ｃは、本発明による別のクリップの一つを下から見た斜視図である。
【図３Ｄ】図３Ｄは、図３Ｃのクリップを下から見た平面図である。
【図４】図４は、別の実施形態に係る物品の取付け状態を示すものである。
【図５】図５は、本発明の種々の実施形態に適合するベビーサークルを示すものである。
【図６】図６は、本発明の種々の実施形態に適合するブランコを示すものである。
【図７】図７は、本発明の種々の実施形態に適合するバウンサーを示すものである。
【図８】図８は、本発明の種々の実施形態に適合するチャイルドシート付きショッピングカートを示すものである。
【図８Ａ】図８Ａは、図８のチャイルドシート付きショッピングカートの軌道部材の一端の拡大図である。
【図９】図９は、本発明の実施形態に適合するオムツ替えパッドを示すものである。
【発明を実施するための形態】
【００１１】
本発明の実施形態は、玩具又はその他の物品を育児用具に取り付けるシステム及び方法を包含するもので、玩具又はその他の物品を取り付ける手段を備えた種々の育児用具を包含するものある。
【００１２】
いくつかの実施形態では、育児用具は、ロッドなどの軌道部材と、軌道部材に沿って移動するスライド部材とを備えるように構成される。スライド部材は、１個若しくは複数個の玩具又はその他の物品が、容易かつ着脱自在に取り付けられる構造をしている。玩具又はその他の取付け物品は、所望に応じて交換し、異なる箇所に移動できる。例えば、軌道部材は、プレイジム内にいる乳児の上に吊り下げてもよいし、軌道部材から吊下がる玩具を、乳児の手が届く範囲内に移動させてもよい。軌道部材は、クッション又は枕等の他の種類の物品の一部を構成してもよいし、取り付けた玩具又はその他の物品を、子供がいる位置に移動させてもよい。その他の種類の物品を取り付けてもよい。軌道部材は、布製筒状部材をスライドするクリップを備えた布製筒状部材のような育児用具に全体が埋め込まれていてもよい。こうする代わりに、軌道部材は、露出した状態のまま、育児用具と結合されてもよい。こうして、クリップは、軌道部材に対して直接スライドする。
【００１３】
例えば、図１Ａは、本発明の種々の実施形態に適合する乳幼児用プレイジム１００を示すものである。プレイジム１００は、基部パッド１０１と天蓋部１０２とを備える。使用の一態様では、プレイジム１００は、床に置かれる。基部パッド１０１は、パッドを入れた中央部１０１ａと、乳児を収容する外側境界部を構成するパッドを入れた周辺部１０１ｂとを備える。中央部１０１ａと周辺部１０１ｂの各々の布地が、結合する中央部と周辺部との間には、継ぎ目が形成される。基部パッド１０１を構成するのに適した一例は、布地に布団綿を置いてから布地を一緒に縫って種々の縫い目を形成する方法である。中央部１０１ａと周辺部１０１ｂの間の縫い目は、詰め込んだ材料の移動量を制限するのに役立つ。乳幼児を、基部パッド１０１に置くと、乳幼児は、種々の玩具、天蓋部１０２から吊下がった又は基部パッド１０１に取り付けた物品１０３等のその他の物品と戯れることができる。こうして、プレイジム１００は、乳児が時間を過ごすのに安全、快適かつ使いやすい場所を提供するとともに、乳児の慰みと発育に刺激を与える。プレイジム１００は、まだ這い這いを始めていない乳幼児を世話するのに特に有効である。プレイジム１００に物品を取り付けると、乳児の玩具を一定のエリア内で乳児の手が届く範囲内に留めておくことになる。
【００１４】
基部パッド１０１は、例えば、柔らかい布又は織物で形成してよく、気泡を含んだ詰め物、人造繊維製詰め物、布団綿等の詰め物を充填してもよい。基部パッド１０１は、好ましくは、乳児を収容するのに適した大きさを持つ。例えば、基部パッド１０１は、直径約３０乃至３６インチとしてよいが、これよりも大きさが大きくても小さくてもよい。基部パッド１０１は、円形、楕円形、長円形、長方形、その他如何なる適切な形状をしてよい。
【００１５】
基部パッド１０１は、基部パッド１０１の端部に、３個の取付け部材１０４ａ乃至ｃを備える。当業者なら、より多くの取付け部材を設けてもよいことが分かる。取付け部材１０４ａ乃至ｃは、例えば、球形又はその他適切な形状をした布地で覆われた気泡材料又は人造繊維材料でよい。取付け部材１０４ａ乃至ｃは、好ましくは圧縮可能であるが、例えば、プラスチック製ボールのような実質的に硬い形状をしていてもよい。取付け部材１０４ａ乃至ｃの各々は、各取付け部材の被覆部の一部を基部パッド１０１の縁継ぎ目に縫い込むことにより、取付け部材と基部パッド１０１の双方に綱部材を縫い付けることにより、又はその他の適切な手段により、基部パッド１０１に取り付けてもよい。
【００１６】
天蓋部１０２は、アーチ状の支持フレームを構成する３個の脚部１０５ａ乃至ｃで立ちながら、基部パッド１０１をアーチ状に跨ぐように構成される。天蓋部１０２が、基部パッド１０１を跨ぐ高さは、例えば、１２乃至２４インチでよく、プレイジム１００内にいる乳児の手が届く範囲内に、玩具又はその他の物品１０３を吊り下げるのに用いられる。天蓋部１０２は、例えば、布製又はプラスチックス製シート等の表面シート１０６を備え、この表面シートは、１種以上の材料からなる単層構造でも多層構造でもよい。表面シートは、多層の材料層を結合したものでもよく、多層の材料層は、同じ材料で構成されていなくてもよい。また、天蓋部１０２は、天蓋部１０２内に埋め込まれた少なくとも２本の半硬性のロッド１０７ａ及び１０７ｂを備える。半硬性のロッド１０７ａ及び１０７ｂは、例えば、プラスチックス、金属又は複合材料で形成されてよく、断面は、円形又はその他の形状でよい。半硬性のロッド１０７ａ及び１０７ｂは、好ましくは、応力を受けない場合には実質的に直立でき、曲げに対して多少対抗でき、曲げ応力が無くなると、実質的に直立性を取り戻す剛性を有する。実施の形態の一つにおいて、ロッド１０７ａ及び１０７ｂは、それぞれ、長さが、約２８インチで、直径が約１／４インチで、強化プラスチックスで形成される。大きさは、これら以外の適切なサイズを用いてもよい。
【００１７】
ロッド１０７ａ及び１０７ｂの第１端は、天蓋部１０２の、基部パッド１０１に接続する第１脚部１０５ａに沿って延びる。好ましくは、ロッド１０７ａ及び１０７ｂは、表面シート１０６の縁に埋め込まれるが、その他の構成を採用してもよい。第１ロッド１０７ａの第２端も、基部パッド１０１に接続する第２脚部１０５ｂに沿って延び、第２ロッド１０７ｂの第２端は、基部パッド１０１に接続する第３脚部１０５ｃに沿って延びる。こうして、ロッド１０７ａ及び１０７ｂは、その剛性によって、テントがテントポールにより支持されるのと同じように、天蓋部１０２を支持する。  
以下、図３Ａを参照しながら詳述するように、クリップ３０１が、ロッド１０７ａにスライド自在に嵌め込まれる。クリップ３０１は、ロッド１７０ａに沿って任意の箇所にスライドすることにより、クリップ３０１に連結する１個以上の玩具の位置を調節できる。このため、育児者にとって、子供に対する玩具の位置を調節するのに好都合となる。例えば、基部パッド１０１から子供を移動する際、オムツを取り換え又は乳児を拭く際、育児者は、クリップ３０１をロッド１０７ａに沿ってスライドするだけで、テント内に難なく入ることができる。子供を楽しみ続けさせるには、スリップ３０１を、玩具がアーチ型の支持体から張り出すようにスライドさせればよい。ロッド１０７ａに取り付けられるように示してあるが、クリップ３０１は、いずれのロッドに連結してもよいことは、明らかである。さらに、１個のロッドに、複数個のクリップを取り付けてもよい。また、複数個の玩具を、図１Ａの玩具１２２及び１２４のように、互いに繋げて、玩具の長さを増やし、また、基部パッド１０１から吊り下げられた玩具が、種々の位置を取れるようにしてよい。
【００１８】
基部パッド１０１は、基部パッド１０１の上部又は側部のいずれの箇所にでも１個以上の軌道部材１３０を接続して備えていてもよい。軌道部材１３０は、図３Ｃ及び３Ｄを参照しながら詳述するように、１個以上のクリップ３５０を支持するのに、ロッド１０７ａと同様な機能を持つ半硬性ロッドである。図１Ｃによりよく示すように、軌道部材１３０は、布製筒状部材１３２により基部パッド１０１に接続された半硬性ロッドである。より詳しく説明すると、筒状部材１３２は、長さ方向両縁が基部パッド１０１の縫い目１３３に縫い込まれて筒状をなす半硬性ロッドとしてもよい。縫い目１３３は、中央部１０１ａと周辺部１０１ｂと接続するときに形成される縫い目である。ロッドを筒状部材１３２に通してから、筒状部材１３４の長さ方向両縁１３６及び１３８が縫い付けられて縫い目に組み込まれる。長さ方向両縁を縫い目に縫い込む前に、クリップ３５０が布製筒状部材に通される。こうして、クリップ３５０は、軌道部材１３０から外れなくなる。もう一つの方法は、ロッドの両端を、ポケット状部に保持して、ロッドを基部パッド１０１に取り付けることである。この場合、布製筒状部材は、不要となる。
【００１９】
クリップ３５０には、１個以上の玩具１２６を、他の実施形態に関して説明したのと同様に接続してよい。こうすることにより、玩具のような物品を、基部パッド１０１に着脱自在に接続することができる。さらに、クリップ３５０を用いて軌道部材１３０に沿ってスライドさせることにより、物品の位置を容易に調節できる。例えば、玩具を、基部パッド１０１に中央部に移動して、子供が玩具に容易く触れるようにすることができる。しかしながら、子供を基部パッド１０１から移動させる必要がある場合には、クリップ３５０を一方方向にスライドさせて玩具を移動させればよい。別の実施形態として、クリップ３５０を、軌道部材１３０に沿ってスライドさせて玩具を別の箇所に位置付けることにより、プレイジム構造体内に異なる状態をもたらしてもよい。
【００２０】
布製筒状部材１３２を形成するのに使用する布地は、スライドクリップがロッド上を移動するときに、スライダークリップにより摩擦が生ずるので、耐久性を持つ必要がある。布地は、時間が経過するにつれて、ロッドが布地を突き破ることがないように、十分に耐久性を有する必要がある。好ましくは、布地は、ナイロン製布地である。特に良好な布地は、ポリウレタンコーティングを施した又は施していない１デニールナイロンである。
【００２１】
図１Ｂは、天蓋部１０２をプレイジム１００の他の部分から分離した状態を示す。天蓋部取付けループ部１０８ａ乃至ｃは、各脚部１０５ａ乃至ｃの下端に設けられる。ループ部１０８ａ乃至ｃは、取付け部材１０４ａ乃至ｃに嵌まって天蓋部１０２を基部パッド１０１に取り付ける。取付けを行うには、取付け部材の各々を対応するループ部に通す。取付け部材１０４ａ乃至ｃが、圧縮可能であると、取付け部材の各々は、圧縮されて対応するループ部に通されてから再び膨らむことができる。天蓋を取付けるためのループ部１０８ａ乃至ｃも、伸縮可能で、ループ部が伸びていない場合、ループ部が、取付け部材よりも小となるようになっていてもよい。こうすると、天蓋部１０２の基部パッド１０１への確実な取付けが確保されるだけでなく、プレイジム１００を簡単に分解できる。もう一つの方法として、ループ部１０８ａ乃至ｃの各々が、端部にフック状の環状接続材を備えた２個のストラップで構成してもよい。こうすると、２個のストラップを、取付け部材１０４ａ乃至ｃの周囲に巻き付けてそれぞれの端部に互いに固定できる。
【００２２】
プレイジム１００は、プレイジム１００に物品１０３を取り付けるために、１個以上の開口を備えていてもよい。例えば、表面シート１０６が、間隔を開けて設けて穴１０９を備えてもよく、穴は、その周囲を縫うことにより、又は他の手段により、補強するとよい。他の実施形態として、基部パッド１０１又は天蓋部１０２は、図１に示す物品取付けループ部１１０のようなループ部を備えてもよい。こうした穴及びループ部は、例えば、図２に示す玩具のような種々の玩具を取り付けるのに使用できる。しかしながら、穴及びループ部は、Ｃ型クリップ又はＣ型リンクとも呼ばれる伝統的な玩具リンクとともに使用して、種々の物品を取り付けるようにしてもよい。
【００２３】
図２は、プレイジム１００に取り付けることができる物品１０３の例示を示す。この例では、物品１０３は、プレイジム１００に取り付けられるように球形をしているが、その他多種の物品、例えば、玩具、直方体形状、角錐形状、その他幾何学的形状、人形、おしゃぶり、鏡を備えた物品、動物又は昆虫の形状をした玩具、植物又は花の形状をした玩具、その他適切な物品をプレイジム１００に取付け可能な形状にするとよい。好ましくは、プレイジム１００に取り付ける物品は、プレイジム１００に入れる乳幼児を喜ばせ好影響を与えるものから選ぶ。
【００２４】
図２に示すように、物品１０３は、主体部２０１と、主体部２０１に接続した圧縮可能部材２０２とを備える。この例では、圧縮可能部材２０２は、綱状部材２０３を介して接続されているが、他の接続手段を用いてもよい。圧縮可能部材２０２は、ボール形状、直方体形状、角錐形状、その他幾何学的形状、ボタン形状、葉又は花状形状、動物形状、翼を連想させる形状、その他の適切な形状をしてよい。これらの形状には、音、光又は振動等の特徴が組み合わされていてもいなくてもよい。圧縮可能部材２０２は、好ましくは、非圧縮状態では、穴１０９又は物品取付けループ部１１０よりも多少大きいことが好ましい。物品１０３は、穴１０９又は物品取付けループ部１１０のいずれかに圧縮可能な部材２０２を押し込み、圧縮可能な部材２０２を拡開大復帰させることにより確実ではあるが容易に取り外し可能な接続が行えるように、プレイジム１００に取付けることができる。こうした取付けにより、使用する材料は、柔らかく撓みやすくてよく、全ての部品が、比較的大形にできるので、乳幼児にとって安全な環境が得られるという、さらなる効果がもたらされる。
【００２５】
図３ａは、プレイジム１００に物品３０２を取り付ける他の実施形態を示す。この実施形態では、クリップ３０１は、ロッド１０７ａにスライド自在に嵌め込まれる。クリップ３０１等の１個以上のクリップを、天蓋部１０２のいずれかのロッド又は全てのロッドに嵌め込んでよい。好ましくは、ロッド１０７ａは、プレイジム１００に埋め込まれて、クリップ３０１を利用し易いようにする。例えば、ロッド１０７ａは、ロッド１０７ａを表面シート１０６の一部で包み込むことにより埋め込んでもよい。この場合、ロッド１０７ａは、表面シート１０６に縫い込まれた筒状ポケット内に存在すると見做してよい。ロッドの全体が、包み込まれ又は埋め込まれる必要はない。ロッドの一部が包み込まれる場合、ロッドの他の部分は露出したままでもよい。幾つかの実施形態において、表面シート１０６がロッド１０７ａを包み込む部分は、ナイロン織物、その他の耐久性布地で構成して、クリップ３０１に適度な摩擦を与えるとともに摩耗に耐えるようにするとよい。
【００２６】
図３ｂは、クリップ３０１を単独で示す。クリップ３０１は、全体的に環状形をしているが、完全な環状形である必要はない。溝形通路３０３が、クリップ３０１の一側に設けられる。溝形通路３０３は、ロッド１０７ａ等のロッドにスライド自在に嵌まる形状をしている。ロッドと溝形通路３０３とは、溝形通路３０３が、クリップ３０１をロッドに沿って容易にスライドできるが、停止させるとロッド上に留まる大きさであれば、いずれの大きさでもよい。こうしたスライド式嵌め合いは、溝形通路３０３の分割形状により、容易化する。クリップ３０１は、スライド式クリップ３０１が、クリップをロッドの一端を越えてスライドさせない限り、ロッドからは外れないように実質的に硬質であることが好ましい。
【００２７】
一旦、クリップ３０１が、ロッド１０７ａ（又は、別のロッド）に嵌められると、ロッド１０７ａを包み込む布地等の包み込み材は、溝形通路３０３のスロット３０４に嵌まり、クリップ３０１がロッド１０７ａ周囲を回転するのを制限する。クリップ３０１内の穴３０５は、物品をプレイジム１００に取り付けることができるようにした開口をもたらす。例えば、物品３０２の圧縮可能な部材３０６は、穴３０５に通すことにより、物品３０２を天蓋部１０２から吊り下げることができる。複数個のクリップ３０１を、プレイジム１００に備えさせ、さらには、１個以上のクリップを、天蓋部を支持するのに用いている半硬性ロッドのいずれかまたは全てに設けてもよい。天蓋部１０２に取り付けたクリップ３０１のいずれかまたは全ては、容易に移動させて、クリップ３０１を用いて、物品３０２等の天蓋部１０２に取り付ける物品に位置を調節できる。
【００２８】
プレイジム１００等の育児用具に取り付ける物品の形状を、種々に変更できることは、明らかである。
【００２９】
例えば、図１を再び参照すると、物品１１１は、鏡面（適切なパッディングにより囲まれていてもよい）を備えて子供が自分自身の鏡像を見ることができるようにしてもよい。物品１１１として、種々の変形例も図示する。物品１１１は、２個の圧縮可能な部材１１２及び１１３を備え、これら圧縮可能な部材を、２個の物品取付けループ部１１０に通して、物品１１１の位置を拘束する。他の例では、図３Ａに示す物品３０２は、主体部が動物の形状をしている。変形例の物品は、主体部が、昆虫、植物、花、幾何学的形状、子供を喜ばせ刺激を与えるその他の形状であってもよい。
【００３０】
いくつかの実施形態において、育児用具に取り付ける物品は、音を出すものでもよい。例えば、ボール又はその他の物品に、ボールを押すとバチバチという音をたてて、子供がその物品に反応するように仕向ける材質を入れてもよい。取り付ける物品は、物品を押し、移動させ、又は始動させると、音楽を奏で若しくは動物の鳴き声を出し、物語を語り、その他の音声を作り出す電子式音声発生装置を備えてもよい。さらに、物品は、移動により又はスイッチにより始動して、子供がその物品に反応するようにした光発生手段又は振動発生手段を組み込んでもよい。
【００３１】
図３Ｃ及び３Ｄは、図１Ａのクリップ３５０をより詳細に示す。クリップ３５０は、全体が幾何学的にはドーナツ状のクリップ本体３５２を備える。クリップ３５０は、ロッドがスライドする通路３５６に通じるスロット３５４を備える。スロット３５４は、布製筒状部材がすり抜けない幅を有する。通路３５６は、布製筒状部材が、ロッドと布製筒状部材をスムーズにスライドできるのに丁度よい大きさを有する。通路３５６が大き過ぎると、クリップ３５０は、ルースになり、容易にスライドできなくなり、ロッドから外れる虞もある。反対に、小いさ過ぎると、布製筒状部材及び／又はロッドの移動が困難にする。したがって、ロッドは、筒状部材を形成するナイロン製布地で包み込むことができ、かつ、クリップをスライドできるのに十分な程度に細い必要があるが、クリップが、ロッドから外れて安全上問題を起こす程度に細くてならない。クリップ３０１に形成した通路も、同様な大きさでよい。また、クリップ３５０は、中央開口３５８を備え、玩具の圧縮可能部材が、この明細書で説明する他の実施形態と同様に、中央開口内に設けられる。
【００３２】
クリップ３５０のもう一つの特徴は、クリップ３０１では、スロット３０４が、クリップ本体に対して平行であるのに対して、スロット３５４が、クリップ本体に対してほぼ垂直である点である。このため、クリップ３５０は、図１Ａに示すように、基部１０１に対してほぼ平行になり、突き出たり、乳児の動きを妨げたりすることがない。クリップ３０１の場合、クリップ本体は、アーチ型の支持体上で、布とほぼ同一線上にある。クリップ本体は、ロッドから突出しているが、乳児の動きを妨げることがなく、しかも、玩具をアーチ型支持体からより容易に吊り下げることができる。場合によっては、クリップは、スロットを、クリップ本体に対して、例えば、１５度、３０度、４５度、６０度等の異なる角度に形成して、クリップ本体が、これと接している布又はベース層に対して異なる角度をなすようにしてもよい。
【００３３】
育児用具に物品を取り付けるのに用いる圧縮可能部材の形状も、多くの変更例があり得る。例えば、図２に示す圧縮可能部材２０２は、葉、動物の耳又は翼を連想させるものでもよい。図３Ａに示す圧縮可能部材３０６は、単純なボール形状である。他の取り得る形状は、扁平なボール形若しくはボタン形の形状、その他幾何学的形状、葉若しくは花の形状、又は動物の形状である。
【００３４】
図４は、ロッド１０７ａに嵌められるクリップ３０１に取り付ける物品４０１の他の例を示す。この例では、物品４０１は、リング３０１に嵌められるボタン形状の圧縮可能部材４０２を備える。物品４０１の主体部は、開口４０３を備えたほぼ環状形の、すなわちドーナッツ状をしている。第２の物品４０４が、物品４０１に形成した開口４０３から吊下がっている。この例では、第２の物品４０４は、輪形のおしゃぶりを備え、さらに、葉を連想させる形状をした圧縮可能部材４０５を備える。
【００３５】
本発明の種々の実施形態による取付け装置及び方法は、種々の育児用具に適用可能である。図１Ａのプレイジム１００は、一例に過ぎない。本発明を具体化できる他の種類の用具として、ベビーベッド、ベビーサークル、ブランコ、ベビーバウンサー、チャイルドシート付きショッピングカート、折りたたみ式ベビーカー、カーシート、チャイルドシート、ハイチェア、プレイパッド、オムツ替えパッド、オムツ替えパッドカバーがあるが、これらに限定されない。
【００３６】
一例として、図５は、本発明の実施形態によるプレイヤード５００を示す。プレイヤードは、伝統的なベビーサークルのような用具で、子供が時間を過ごす安全で制約されたスペースを提供するように意図されている。プレイヤードは、例えば、部屋の隅、子供をピクニック等外出に同行させたい場合には屋外に置くことができる。プレイヤード５００は、玩具、その他の物品を取り付ける手段を有している。例えば、プレイヤード５００は、円蓋部５０１を備え、円蓋部には、上述したように、物品を取り付ける複数個の穴５０２を設ける。円蓋部５０１の縁には、半硬性のロッド５０３を埋め込み、物品取付け用に、クリップ３０１が、ロッド５０３にスライド自在に嵌めてあるようにしてもよい。プレイヤード５００の他の部分にも、開口又はロッドを設けてもよい。例えば、プレイヤード５００の壁すなわち側部５０４に複数個の穴５０２、半硬性の埋め込みロッド５０５、又は、これらの両方を設けてよい。また、プレイヤード５００の底部に、半硬性の埋め込みロッドを設けてもよい。プレイヤードの他の例、及びこうした取り付け装置を備えるプレイヤードの他の構造は、米国特許第７，２９０，３０３号明細書並びに米国特許公開第２００７／０２７１７０３及び２００２／００４２９５３号に開示されており、本発明の明細書の開示として、取り入れるものである。
【００３７】
この他の例として、図６は、本発明の実施形態によるブランコ６００を示す。例示のブランコ６００は、アーチ型の支持フレーム６０１を備え、支持フレームには、表面シートに複数個の穴６０２が空けられ、例えば、クリップ３０１を用いて物品を取り付ける半硬性の埋め込みロッド６０３を設ける。ブランコ６００は、例えば、揺らし運動により乳児に心地よさと楽しみを与えることにより、乳児がリラックスできる場所を提供するのに用いることができる。アーチ型の支持フレーム６０１から吊下がる物品により、喜びと刺激が加わる。
【００３８】
図７は、本発明の実施形態によるバウンサー７００を示す。バウンサーは、ブランコに似た態様で使用する用具であるが、揺らし運動よりもむしろ跳ね上がり運動を与える。バウンサー７００もまた、表面シートに複数個の穴７０２を空けたアーチ型の支持フレーム７０１と半硬性の埋め込みロッド７０３を備え、クリップ３０１を用いて物品を取り付ける。
【００３９】
図８は、本発明の実施形態による、チャイルドシート付きショッピングカート８００を示す。チャイルドシート付きショッピングカート８００は、ショッピングカートに子供用のシート部を組み込み、不衛生な表面部に清潔なライナーを提供するように構成されている。また、チャイルドシート付きショッピングカート８００は、子供が接触する面は、ショッピングカート自体を構成するのに通常用いられる硬くて冷たい材料でなく、柔らかい保護面になっている。こうしたカートは、折りたたみ式ベビーカー、カーシート、ハイチェア、チャイルドシート等、子供を座らせる物品として構成でき、チャイルドシート付きショッピングカート８００の取付け手段は、他の種類のカート類にも適用可能であることは、当業者には、直ちに理解される。チャイルドシート付きショッピングカートは、脚用開口８０１とパッド入り椅子部８０２とを備える。チャイルドシート付きショッピングカートを使用する際に、子供の顔が向くチャイルドシート付きショッピングカートの部分には、ロッド８０３が埋め込まれる。他の実施形態として、ロッド８０３は、チャイルドシート付きショッピングカート８００に縫い込んだ布製筒状部材８２０又は他のシードに包み込むことにより埋め込むか、その他のやり方で埋め込んでもよい。図８Ａに示すように、布製筒状部材８２０は、チャイルドシート付きショッピングカート８００の縫い目８２２に縫い込まれることにより、ロッド８０が入る筒状体を構成する。ロッド８０３を布製筒状部材に入れたら、布製筒状部材の両端８２４を折り返して、図８Ａに示すように、布製筒状部材自体とチャイルドシート付きショッピングカート８００とに縫い付ける。こうする代わりに、別の布地を、布製筒状部材の両端とチャイルドシート付きショッピングカートとに縫い付けて、ロッド８０３の両端が、布製筒状部材から突出しないようにする。クリップ３０１は、ロッド８０３にスライド自在に嵌まっており、クリップ３０１の穴に通した圧縮可能部材を用いて、玩具又はその他の物品８０４をチャイルドシート付きショッピングカートに取り付けてある。通常、スライド式クリップ３０１は、布製筒状部材の両端８２４を布製筒状部材自体に縫い付ける前にロッド８０３と布製筒状部材８２０に嵌めて、クリップ３０１が、ロッド８０３に取り付けられたままになるようにする。この例では、物品８０４は、両方とも、花の形をしており、両方とも、クリップ３０１に形成した同じ穴を利用して取り付けてある。チャイルドシート付きショッピングカートは、上述した方法で物品を取り付ける複数個の穴８０５を備えていてもよい。チャイルドシート付きショッピングカート８００に取り付けられると、物品８０４は、チャイルドシート付きショッピングカートに乗っている子供にとって、喜びと刺激を与えることになり、物品は、チャイルドシート付きショッピングカートに取り付けられているので、落下したり紛失したりする恐れがない。
【００４０】
図９は、本発明の実施形態によるオムツ替えパッド９００を示す。オムツ替えパッドは、オムツを取り替える際に乳幼児を寝かせるのに適した大きさと形状をした柔らかなパッドである。例示のオムツ替えパッド９００は、マットレスにシーツをぴったりと敷くように、オムツ替えパッド９００の外表面を覆うように敷いてあるカバー９０１を備える。所望により、カバー９０１の上に、保護ライナー９０２を敷いてもよい。保護ライナーは、オムツ替えパッド９００を保護するように耐水性材料で構成してもよい。オムツ替えパッド９００は、また、上述した取り付け装置及び方法により物品を取り付ける手段を備えてもよい。例えば、１個以上のロッド９０４を、オムツ替えパッド９００の窪み９０３の周囲内縁の縫い目又は外縁で、カバー９０１の幾つかの縫い目に埋め込んでもよい。ロッド９０４は、図９に示すように、特定の縫い目の一部のみに、又は１個以上の縫い目の全体に渡るようにしてよい。ロッド９０４に類似するロッドを、オムツ替えパッド９００に、他の方法でさらに埋め込んでもよい。好ましくは、少なくとも１個のクリップ３０１を、埋め込まれたロッドの各々にスライド自在に嵌める（簡明化のため、図９には、クリップ３０１を１個だけ示してある）。物品９０５のような物品は、上述のように、複数個のクリップのいずれか又は全ての穴を利用して取り付けてもよい。オムツ替えパッド９００は、カバー９０１から突出し、穴９０７が空いた突出部９０６を備えることにより、追加の又は代用的な取り付け箇所を設けるようにしてもよい。例えば、プレイパッドのような他の種類のパッドを、育児に用いてもよく、オムツ替えパッド９００について上述した取り付け手段は、他の種類のパッドにも使用可能であることは、当業者には自明である。
【００４１】
本発明の実施形態として、アーチ型の支持体又はアームを、上述したプレイヤード、ブランコ及びバウンサーと同じように、オムツ替えパッドに渡してもよい。こうしたアーチ型の支持体又はアームは、他の実施形態のように、スライド式のクリップを取り付けることができる、撓みやすくて半硬性のロッドを備えてよい。こうすると、種々の物品を、オムツ替えパッドに吊り下げることができる。上述した玩具を取り付けるための穴又はループ部を設けてもよい。
【００４２】
上述した圧縮可能な玩具を収容する開口又はループ部とともに、スライド式クリップ、ロッド、軌道部材は、例えば、本発明の明細書の開示として取り入れる、米国特許第５，２６１，１３４号、第５，６６１，８６１号、第６，０３８，７２０号、第６，０５５，６８７号、第６，６８５，０２４号、第６，４３４，７７０号、第６，６７１，９０８号、第７，０１７，２１２号、第６，２７９，１８５号、第６，４１２，１２８号、第７，４５１，５０８号、第７，１２７，７６０号、第６，９４４，８９８号、第７，５８７，７７３号、第７，４７２，４４３号及び第７，４０４，２２２号に開示されている、三日月状枕、並びに及び例えば、本発明の明細書の開示として取り入れる、米国特許第６，４５３，４９３号、第６，６２５，８２８号、第６，８５１，１４３号、第７，０００，２７４号及び第７，１４６，６６３号に開示されている、家具カバーのような種々の他の製品に組み込まれてもよい。もう一つの例として、ここに説明した取付け装置は、おしゃぶり、（携帯電話又はペットボトルを収容するもの）ポケット等の物品を、大形の用具に取り付けるのに用いてもよい。さらに別の例として、ここに説明した取付け装置は、幼児用歩行器、ジャンパー・シート（乳児が、飛び跳ねることができるように、シートに弾性ストラップを付けて戸口に吊り下げるもの）、乳母車又は折り畳み式ベビーカー、乳児用運動又は揺動用具（Evenflo及びExserSaucerの商標で販売られているようなもの）、乳児用運動器具（ExserSaucerの商標で販売られているようなものであるが、円盤状の底部を持たないもの）、幼児用いす、片側に幌が付いた揺りかご又はベビーベッド、乳児用モビール（スライド式構造及び／又は移動式天蓋部に穴を備えるもの）、ベビーベッド用緩衝用具、チャイルドシート用多機能システム（例えば、フロントシートの背部に取り付けるポケット型多機能システム）、貯蔵用容器、収納用の箱又はおもちゃ箱、おむつ用バッグ、正面向き又は背面向きに乳児をおぶるおんぶ紐、抱っこ紐、乳幼児用湯船、吸盤が付いた乳幼児用湯船シート又は湯船付属品、乳幼児用よだれ掛け、乳幼児用書籍（スライド式クリップが、書籍の背に組み込まれ又はカバーに掛けるようになっているもの）、ロッキングチェア、ブランコいす等の他の用具に用いることもできる。
【００４３】
本発明を、簡明に理解できるように詳細に説明した。しかしながら、当業者には、特許請求の範囲の記載を外れることなく、種々の変更または修正が可能であることが、直ちに理解される。
【図１Ａ】
2013510619.tif 000003
【図１Ｂ】
2013510619.tif 000004
【図１Ｃ】
2013510619.tif 000005
【図２】
2013510619.tif 000006
【図３Ａ】
2013510619.tif 000007
【図３Ｂ】
2013510619.tif 000008
【図３Ｃ】
2013510619.tif 000009
【図３Ｄ】
2013510619.tif 000010
【図４】
2013510619.tif 000011
【図５】
2013510619.tif 000012
【図６】
2013510619.tif 000013
【図７】
2013510619.tif 000014
【図８】
2013510619.tif 000015
【図８Ａ】
2013510619.tif 000016
【図９】
2013510619.tif 000017
【国際調査報告】
2013510619.tif 000018
2013510619.tif 000019
2013510619.tif 000020
2013510619.tif 000021
2013510619.tif 000022